(57)【要約】第１の材料１５を収容することが可能である第１のチャンバ１２と、第２の材料１８を収容することが可能である第２のチャンバ１３とを備えている包装システム１１が説明されている。第１のチャンバと第２のチャンバとは、脆性部材１４により分離されている。このようなシステムを備えている生理用品包装システムも説明されている。
2004525823.tif 000002
【特許請求の範囲】
【請求項１】
第１の材料を収容することが可能である第１のチャンバと、第２の材料を収容することが可能である第２のチャンバとを備え、前記第１のチャンバと前記第２のチャンバとは、脆性部材により分離されている包装システム。
【請求項２】
製品を収容する第１のチャンバと、基剤貯蔵器として機能することが可能である第２のチャンバとを備え、前記第１のチャンバと前記第２のチャンバとは脆性部材により分離されている請求項１に記載の包装システム。
【請求項３】
前記製品は吸収性製品であることを特徴とする請求項２に記載の包装システム。
【請求項４】
前記吸収性製品は綿棒であることを特徴とする請求項３に記載の包装システム。
【請求項５】
前記吸収性製品は生理用タンポンであることを特徴とする請求項３に記載の包装システム。
【請求項６】
前記脆性膜は、前記包装システムを開かずに前記第１の材料と前記第２の材料とが互いに接触するのを可能にすることを特徴とする請求項１に記載の包装システム。
【請求項７】
前記収容される材料は、次の材料、即ちポリエステル、ポリアミド、ポリプロピレン、ポリエチレン、ポリウレタンのうちの１つ以上の材料を含んで成る請求項１に記載の包装システム。
【請求項８】
前記収容材料は、ポリエチレン積層体を含んで成ることを特徴とする請求項１に記載の包装システム。
【請求項９】
前記ポリエチレン積層体は、ポリエステル／ポリエチレン、ポリプロピレン／ポリエチレン、ナイロン／ポリエチレン及びポリエチレン／ポリ（エチレンテレフタレート）から選択されることを特徴とする請求項８に記載の包装システム。
【請求項１０】
前記積層体はポリエチレン／ポリ（エチレンテレフタレート）積層体であることを特徴とする請求項９に記載の包装システム。
【請求項１１】
前記材料は、ヨーグルト及びフルーツソースと、重合性接着剤前駆物質及び重合開始剤と、シャンプー及び染色剤又はヘアーコンディショナーと、スティックパン及びディップ、ソーセージ及びディップ、ケーキ又はビスケットバー及びクリーム、チョコレートソース又はファッジソース、例えばフルーツソース、チョコレートソース又はファッジソース付のアイスクリーム又はデザートから選択されることを特徴とする請求項１に記載の包装システム。
【請求項１２】
前記材料のうちの少なくとも１つは食品であることを特徴とする請求項１に記載の包装システム。
【請求項１３】
前記材料は、ヨーグルト及びフルーツソースと、スティックパン及びディップと、ソーセージ及びディップと、ポテトチップ及びディップと、コーンチップと、ケーキ又はビスケットバー及びクリームと、チョコレート又はチョコレートソース又はファッジソースと、フローズンデザート例えばアイスクリーム、及びフルーツ又はフルーツソース、チョコレート又はチョコレートソース又はファッジソースから選択されることを特徴とする請求項１に記載の包装システム。
【請求項１４】
前記材料はシャンプー及び染色剤又はヘアーコンディショナーを含んで成ることを特徴とする請求項１に記載の包装システム。
【請求項１５】
前記基剤は接着剤を形成することが可能であることを特徴とする請求項１に記載の包装システム。
【請求項１６】
前記接着剤は、単量体前駆物質及び重合開始剤を含んで成ることを特徴とする請求項１０に記載の包装システム。
【請求項１７】
前記基剤は潤滑剤であることを特徴とする請求項３に記載の包装システム。
【請求項１８】
前記潤滑剤は、海藻類、アルギン酸塩、寒天、カララギーン（ｃａｒａｒａｇｅｅｎ）の抽出物と、トラガカント、アラビアゴムなどの植物滲出物と、ペクチンなどの植物抽出物と、デキストリン、ヒドロキシエチル、アミロペクチン、ヒドロキシエチルスターチなどのスターチフラクションと、メチルセルロース、エチルセルロース、ヒドロキシプロピルセルロースなどのセルロース誘導体と、高飽和脂肪酸のモノグリセリド及びジグリセリド及びトリグリセリド、ポリアルキレングリコール、及びポリエチレングリコール２００〜４０００（ＰＥＧ）、ＰＥＧ−６−カプリル／カプリングリセリドなどのエトキシ化生成物と、パラフィン油、ワセリンなどの炭化水素と、ポリビニルアルコール、ポリビニルピロリドン、ポリアクリラートと、エチレングリコール、グリセロールと、レシチン、コレステリン、ソルビタン脂肪酸エステルと、シリコーンと、セルロース重合体及び前述のいずれかのものの混合物のうちの１つ以上から選択されることを特徴とする請求項１７に記載の包装システム。
【請求項１９】
前記セルロース重合体はＫＹ−ゼリー（ＫＹ−Ｊｅｌｌｙ）であることを特徴とする請求項１８に記載の包装システム。
【請求項２０】
前記基剤は医薬品であることを特徴とする請求項１に記載の包装システム。
【請求項２１】
前記脆性部材は、前記チャンバの壁と壁とを結合することにより形成されていることを特徴とする包装システム。
【請求項２２】
前記脆性部材のための前記結合は、熱及び／又は圧縮クリンプ加工を含んで成ることを特徴とする請求項１９に記載の包装システム。
【請求項２３】
前記脆性部材のための前記クリンプ加工は、１２５〜１６０℃の温度で行われることを特徴とする請求項２２に記載の包装システム。
【請求項２４】
前記脆性部材の前記クリンプ加工は、１０〜２０ｐｓｉの圧力を印加することにより行われることを特徴とする請求項２２に記載の包装システム。
【請求項２５】
脆性部材のためのクリンプ加工は０．５〜１．５秒にわたり行われることを特徴とする請求項２２に記載の包装システム。
【請求項２６】
脆性部材のための前記壁は、２〜１０ｍｍの深さまでクリンプ加工されていることを特徴とする請求項２１に記載の包装システム。
【請求項２７】
生理用品を収容する第１のチャンバと、基剤貯蔵器として機能することが可能である第２のチャンバとを形成するためにストリップの一部を熱及び／又は圧力クリンプ加工することを含んで成る、請求項１に記載の包装システムの製造プロセスであって、前記熱及び／又は圧力クリンプ加工プロセスは、前記第１のチャンバと前記第２のチャンバとを分離する脆性部材を形成することを特徴とするプロセス。
【請求項２８】
前記クリンプ加工は、１２０〜１６０℃の温度で行われることを特徴とする請求項２７に記載のプロセス。
【請求項２９】
前記クリンプ加工は、１０〜２０ｐｓｉの圧力を印加することにより行われることを特徴とする請求項２７に記載のプロセス。
【請求項３０】
前記クリンプ加工は、０．５〜１．５秒にわたり行われることを特徴とする請求項２７に記載のプロセス。
【請求項３１】
生理用品アプリケータ（ａｐｐｌｉｃａｔｏｒ）を収容する第１のチャンバと、基剤貯蔵器として機能することが可能である第２のチャンバとを備え、前記第１のチャンバと前記第２のチャンバとは脆性部材により分離されている請求項３に記載の包装システム。
【請求項３２】
前記包装システムは、タンポンアプリケータを収容することが可能である第１のチャンバと、基剤貯蔵器として機能することが可能である第２のチャンバとを備え、前記第１のチャンバと前記第２のチャンバとは脆性部材により分離され、前記第２のチャンバは、前記タンポンを搬送するように操作可能である前記膜に遠位に位置する半径方向（ｒａｄｉａｌ）端部壁を有することを特徴とする請求項３１に記載の包装システム。
【請求項３３】
前記アプリケータから前記タンポンを駆動して搬出する手段が、前記第１のチャンバ内でスライド可能に設けられていることを特徴とする請求項３１に記載の包装システム。
【請求項３４】
前記アプリケータ材料が、板紙、プラスチック又はフィルムのうちの１つ以上から選択されることを特徴とする請求項３１に記載の包装システム。
【請求項３５】
前記タンポンが弾丸状の整理用タンポンであることを特徴とする請求項３１に記載の包装システム。
【請求項３６】
前記脆性部材は、開くのを容易にするために少なくとも１本の引き裂き線又は脆弱線を備えていることを特徴とする請求項１に記載の包装システム。
【請求項３７】
前記包装システムは、折畳み式配置で前記包装を取外し可能に固定する手段を備えていることを特徴とする請求項１に記載の包装システム。
【請求項３８】
折畳み式配置で前記包装を取外し可能に固定する前記手段は、接着剤によりコーティングされたタブであることを特徴とする請求項３７に記載の包装システム。
【請求項３９】
接着剤によりコーティングされた前記タブの第１の端部は、比較的強い接着剤によりコーティングされ、第２の端部は、比較的弱い接着剤により固定されていることを特徴とする請求項３７に記載の包装システム。
【請求項４０】
請求項１に記載の前記包装システム内の生理用品の使用を含んで成る、潤滑剤又は医薬品を膣内に送達する方法。
【請求項４１】
請求項１９に記載の前記包装システム内の生理用品を使用して医薬品を送達することを含んで成る、膣疾患の治療方法。
【請求項４２】
請求項１９に記載の前記生理用品包装システムの製造でのＫＹ−Ｊｅｌｌｙの使用。
【請求項４３】
請求項１に記載の小袋システムの使用を含んで成る、２つの別個の混合可能な成分を送達する方法。
【請求項４４】
請求項１２に記載の事前充填食品小袋システムの製造での食材の使用。
【請求項４５】
請求項１に記載の事前充填接着剤小袋システムの製造での接着剤単量体及び／又は重合開始剤の使用。
【請求項４６】
第１の材料を収容することが可能である第１のチャンバと、第２の材料を収容することが可能である第２のチャンバとを形成するために、ストリップ材料の一部を熱及び／又は圧力クリンプ加工することを含んで成る、前述の包装システムの製造プロセスであって、前記熱及び／又は圧力クリンプ加工プロセスは、前記第１のチャンバと前記第２のチャンバとを分離する脆性部材を形成するプロセス。
【請求項４７】
前述の生理用品包装システムの製造プロセスであって、
（ｉ）  第１の長手端縁に沿って積層体材料の２つのストリップを熱及び／又は圧力クリンプ加工するステップと、
（ｉｉ）  第１及び第２の端部シール及び脆性部材である少なくとも３つのシールを形成するために前記第１の長手端縁シールに垂直な方向に熱及び／又は圧力クリンプ加工するステップであって、前記３つのシールは第１及び第２のチャンバを形成するステップと、
（ｉｉｉ）  生理用品と材料とをそれらのそれぞれの第１及び第２のチャンバ内に入れるステップと、
（ｉｖ）  第２の長手端縁に沿って熱及び／又は圧力クリンプ加工するステップと、
（ｖ）  生理用品を得るために切断するステップと
を含んで成るプロセス。
【請求項４８】
添付図面を参照して前述した生理用品包装システム。
【発明の詳細な説明】
【技術分野】
【０００１】
本発明は、新規の包装システムに関する。
【０００２】
特に、本発明は、後に混合されることもある別々の成分を収容することが可能である包装システムに関する。
【背景技術】
【０００３】
包装システムが、使用直前に混合される成分を分離するのに利用される多くの状況が存在する。例えば、アクリル接着剤は、通常、アクリル単量体のチューブと、重合開始剤のチューブとして供給される。ユーザは、使用前に単量体と開始剤とを混合する。しかしながら、このようなシステムの１つの欠点は、これら２つのチューブのうちの１つが失われて、システムが役に立たなくなることにある。さらに、単量体と開始剤とを混合することは、２つのステップから成るプロセスであり、混合表面の使用を必要とすることにある。
【０００４】
さらに、多くの食品は、複数の成分から成る系として市販されている。例えばヨーグルトは、しばしば、別個の果物チャンバを有するカートン内に入れられて販売され、従ってユーザは、ヨーグルト内に所望の量だけ果物を混合することができる。同様に、多くの製品は、「ディップ」の形で市販されている。例えばチーズディップを有するスティックパン又は辛いディップを有するナチョ及びその他多数である。このような製品は、ヨーグルトと同様、除去可能で通常はフォイルから成る蓋を有する２つのチャンバを備えているプラスチック部材を備えている。
【０００５】
この場合も、これは、片手で行えるプロセスではなく、ファーストスナックフードとしての使用に適さない。何故ならばスプーン又はその他の道具が必要であるからである。
【０００６】
このようにして、この問題を克服又は緩和する新規の包装システムを開発した。
【０００７】
特定の実施形態では本発明は、医薬品及び／又は潤滑剤を適用する手段を備えているこのようなシステムに関する。このようにして、本発明は、特に、例えば生理用品又は綿棒などの吸収性製品に医薬品又は潤滑剤を適用するのに有用である。
【０００８】
生理用品の分野では、例えば月経用タンポンなどの乾燥した吸収性生理用品を濡れた体組織表面又は内部に適用すると、不快感が生じることが知られている。生理用品のしばしば繊維状の外面は、湿気を吸収し、組織に付着して刺激するからである。
【０００９】
製品の外面に潤滑剤を適用することによりこの問題を解決する試みが知られている。１つの形態では、このような潤滑剤は、弾性的に変形し体液を通過させることが可能なように形成されている低摩擦カバーネット、メッシュ及びウェブ又はその他の多孔性層から成る。
【００１０】
代替的なアプローチでは、液体表面潤滑剤が使用される。しかしながら、このような潤滑剤に関連する問題として、時間が経つにつれて生理用品が表面潤滑剤を徐々に吸収し、これにより、とりわけ、製品の吸収性が失われる事実がある。
【００１１】
米国特許第４４２８７４７号は、潤滑剤貯蔵器として機能することが可能であるトラフを含む例えば生理用タンポンを保持するためのブリスター包装によりこの問題を克服することを試みている。１つの実施形態では貯蔵器は、取外し可能なカバーを備えている。しかしながら、このような装置は、とりわけ、トラフにより包装が嵩張り、複雑な構造を製造するのが困難かつ高価である欠点を有する。更に、この設計は、タンポンが除去され、潤滑剤に浸漬されることを必要とする。更に、このシステムは、一体的なタンポンアプリケータ内に内蔵するのが容易でない。
【発明の開示】
【００１２】
本発明により開発された包装の新規な形態は、例えば潤滑剤を適用されたタンポンなどを提供する従来技術の方法の欠点のうちのいくつかを克服又は緩和することもする。
【００１３】
このようにして、本発明では、第１の材料を収容する第１のチャンバと、第２のチャンバを収容することが可能である第２のチャンバとを備えている包装システムであって、前記第１及び第２のチャンバは脆性部材により分離されている包装システムが提供される。
特に、本発明の包装システムで脆性部材を使用することにより、包装システムを開かずに第１の材料と第２の材料とを互いに接触させることが可能となる。このようにして、脆性部材は、いったん破裂すると、１つ以上の開口が第１のチャンバと第２のチャンバと間に形成され、第１のチャンバ内の材料が第２のチャンバ内の材料と混合され、その逆も生じるようでなければならない。
【００１４】
様々な材料が、第１及び第２のチャンバ内に収容されることが可能である。このような材料の例には、ヨーグルト及びフルーツソースと、重合性接着剤及び重合開始剤と、シャンプー及び染色剤又はヘアーコンディショナーと、スティックパン及びディップ（ソース）、ソーセージ及びディップ、ケーキ又はビスケットバー及びクリーム、チョコレートソース又はファッジソース、例えばフルーツソース、チョコレートソース又はファッジソース付のアイスクリーム又はデザートなどがある。
【００１５】
しかしながら、本発明の１つの特に好ましい態様では包装システムは、医薬品又は生理用品を収容する。このようにして、本発明のこの態様では、吸収性製品を収容する第１のチャンバと、基剤貯蔵器として機能することが可能である第２のチャンバとを備えている吸収性製品包装システムであって、前記第１のチャンバと前記第２のチャンバとが脆性部材により分離されている包装システムが提供される。
【００１６】
本発明のシステムは、例えば綿棒、生理用品又は医薬品などの吸収性製品に使用できるので、本明細書において生理用品とは、医薬品及び／又は綿棒を含むものとする。生理用品には、例えば生理用タンポンなどの女性用衛生用品がある。医薬品には、傷口接触面に潤滑剤又は医薬品を適用するのが望ましい場合に使用するタンポン、キャビティ状の傷口のための手当て用品などを含む任意の手当て用品を含む。
【００１７】
本発明のシステムは、特に、例えば、カバーストック（ｃｏｖｅｒ  ｓｔｏｃｋ）及び取除き用紐（ｒｅｍｏｖａｌ  ｃｏｒｄ）を有する従来の設計のタンポンなどの生理用タンポンを収容するのに適する。
【００１８】
ハウジングに適切な材料は、例えばポリエステル又はポリアミド（例えばナイロン（登録商標））などの熱可塑性プラスチック、ポリプロピレン又はポリエチレン又はその他の従来知られている重合体材料などの少なくとも１つの可撓性合成重合体を含む。エラストマー材料（例えばエラストマーポリウレタン）も使用でき、フィルム、膜又はシートの非エラストマー材料と合体させることも可能である。
【００１９】
ハウジングのために好ましい材料は、ポリエチレン積層体である。このような積層体の例には、ポリエステル／ポリエチレン、ポリプロピレン／ポリエチレン、ナイロン／ポリエチレン及びポリ（エチレンテレフタレート）／ポリエチレン（ＰＥＴ／ＰＥ）などがある。最も好ましい積層体はポリ（エチレンテレフタレート）／ポリエチレン（ＰＥＴ／ＰＥ）であり、特に、ＰＥが可剥性ＰＥであるものである。
【００２０】
第１及び第２のチャンバは、同一の材料から成ることもあり、類似の材料から成ることもあり、又は異なる材料から成ることもある。最後に記載のものは、例えばポリエステル又はポリアミド（例えばナイロン（登録商標））などの熱可塑性プラスチック、ポリプロピレン又はポリエチレン、又はその他の重合体材料などの少なくとも１つの剛性重合体を含む。しかしながら、好ましくは、第１及び第２のチャンバは、同一の材料から成り、従って、例えば、第１及び第２のチャンバは、前記材料から成る連続ストリップから製造できる。
【００２１】
使用できるその他の材料には、例えば板紙などのシート材料などのセルロース材料がある。吸収性表面様カードが使用される場合、好ましくは、基剤チャンバは、シリコン、ワックス又はセロファンなどの耐湿性及び／又は耐基剤性コーティングによりコーティングされるか、又は代替的に、アクリル紙が使用されることもある。
【００２２】
本システムの壁の厚さは様々であり、従って、各積層体において４０〜１００μｍの厚さであることもある。各壁の厚さは同一であることも、異なることもある。好ましくは、積層体がＰＥＴ／ＰＥ積層体から成る場合、ＰＥ層は、ＰＥＴ層より厚さがより厚い。ＰＥＴ層は、１０〜２０μｍの厚さであり、好ましくは１０〜１５μｍの厚さである。１２μｍの厚さが、最も好ましい。ＰＥ層は３０〜８０μｍの厚さであり、好ましくは３５〜７０μｍの厚さであり、最も好ましくは４０〜６５μｍの厚さであり、特に４０〜５０μｍの厚さである。１つの特に好ましい実施形態は、１２μｍＰＥＴ及び５０μｍ可剥性ＰＥから成る第１の壁と、５０μｍＰＥＴ及び６５μｍ可剥性ＰＥから成る第２の壁とを備えている。
【００２３】
１つの実施形態では壁のうちの１つ又は両方が、金属化されている。
【００２４】
生理用品包装システム内の基剤貯蔵器は、一般に、体液の吸収に対する妨害が最小である場所で生理用品の外面のみ又は主に外面に基剤を供給するようになっている。１つの例として、月経用タンポンの鼻部がある。
【００２５】
脆性部材は脆性膜から成ることもある。しかしながら代替的に、脆性部材は、チャンバの壁を互いに結合することにより形成されることもある。このような結合法は、圧力クリンプ加工、熱クリンプ加工又は接着剤の使用若しくは前述の手段の任意の組合せを含んで成ることもある。
【００２６】
本発明の１つの最も好ましい実施形態では、脆性部材は、熱クリンプ加工及び圧力クリンプ加工の組合せにより形成される。印加される熱及び温度は、とりわけ、材料の性質、基剤の性質、所望のシールの深さなどに依存して様々である。
【００２７】
このようにして、本発明の１つの別つ特徴では、第１の材料を収容する第１のチャンバと、第２の材料をを収容することが可能である第２のチャンバとを形成するためにストリップ材料の一部を熱及び／又は圧力クリンプ加工することを含んで成る、前述の包装システムの製造プロセスであって、前記熱及び／又は圧力クリンプ加工プロセスは、前記第１のチャンバと前記第２のチャンバとを分離する脆性部材を形成するプロセスが提供される。
【００２８】
本発明の１つの好ましい態様では、
（ｉ）  第１の長手端縁に沿って積層体材料の２つのストリップを熱及び／又は圧力クリンプ加工するステップと、
（ｉｉ）  第１及び第２の端部シール及び脆性部材である少なくとも３つのシールを形成するために前記第１の長手端縁シールに垂直な方向に熱及び／又は圧力クリンプ加工するステップであって、前記３つのシールは第１及び第２のチャンバを形成するステップと、
（ｉｉｉ）  生理用品と材料とをそれらのそれぞれの第１及び第２のチャンバ内に入れるステップと、
（ｉｖ）  第２の長手端縁に沿って熱及び／又は圧力クリンプ加工するステップと、
（ｖ）  生理用品を得るために切断するステップと
を含んで成る、前述の生理用品包装システムの製造プロセスが提供される。
【００２９】
前のステップのうちの１つ例えばステップ（ｉｉ）の一部としてステップ（ｖ）を組込むことも可能であり、これによって、第１及び第２の端部シールを形成するための熱及び／又は圧力クリンプ加工は、シーリングステップに対して別個であることも、同時であることも、順次であることもある切断ステップを組込んでいることもある。
【００３０】
実験室の条件下では、熱及び／又は圧力クリンプ加工の好ましい温度は、１２５〜１６０℃、好ましくは１３０〜１５０℃、最も好ましくは約１４０℃である。
【００３１】
熱及び／又は圧力シーリングのための好ましい圧力は、１０〜２０ｐｓｉ、好ましくは１４ｐｓｉである。
【００３２】
クリンプ加工の持続時間は様々であり、（実験室の条件下では）０．５〜２．０秒、好ましくは０．５〜１．５秒、最も好ましくは１秒である。
【００３３】
脆性部材のためのシールの深さは様々であり、１〜１０ｍｍ、好ましくは２〜８ｍｍ、より好ましくは２〜６ｍｍ及び最も好ましくは３ｍｍである。
【００３４】
チャンバの周辺がクリンプ加工によりシールされている場合、シールの深さは２〜１０ｍｍ、より好ましくは３〜８ｍｍ、より好ましくは４〜６ｍｍ及び特に５ｍｍである。
【００３５】
本システムの使用は、本システム内に収容されている材料の性質に依存して様々である。このようにして、例えば、第１のチャンバ内に収容されているスティックパンは、例えばチーズソースを収容している第２のチャンバ内に押し込まれ、これにより、脆性部材が破壊される。ソースは、スティックパンをほぼ全面的に被覆し、次いで、チャンバのうちの１つ又は両方が、開かれて、食品の取り出しが容易になる。
【００３６】
代替的に、例えばヨーグルトとフルーツソースとを混合するために、チャンバのうちの１つ又は両方が圧搾され、その際の圧力により脆性部材が破裂し、これにより、２つの材料が混合するか、又は例えば（それ自身は膜を通過させることができない）アプリケータタンポンなどをコーティングする
【００３７】
代替的に、本システムが生理用品を収容する場合、基剤は、例えば医薬品、化粧品、医薬部外品、ホルモン、プロバイオティック又は潤滑剤などの様々な材料から成ることもある。医薬品の例には、例えばトリクロサン（ｔｒｉｃｌｏｓａｎ）又はクロルヘキシジン（ｃｈｌｏｒｈｅｘｉｄｉｎｅ）などの抗菌薬と、例えばクロトリマゾール（ｃｌｏｔｏｒｉｍａｚｏｌｅ）などの抗真菌薬とがある。医薬品には、さらに、同毒療法薬及び／又はアロマセラピー物質などがある。潤滑剤の例として、例えばアルギネート、寒天、カララギーン（ｃａｒａｒａｇｅｅｎ）などの海藻と、例えばトラガカント、アラビアゴムなどの植物滲出物と、ペクチンなどの植物抽出物と、デキストリン、アミロペクチン、ヒドロキシエチルスターチなどのスターチフラクション及び誘導体と、メチルセルロース、エチルセルロース及びヒドロキシプロピルセルロースなどのセルロース誘導体と、高飽和脂肪酸のモノグリセリド、ジグリセリド、トリグリセリドなどの脂肪性物質、及びポリエチレングリコール２００〜４０００（ＰＥＧ）、ＰＥＧ−Ｇ−カプリル／カプリングリセリドなどのその他のエトキシ化生成物と、パラフィン油、ワセリンなどの炭化水素と、ポリビニルアルコール、ポリビニルピロリドン、ポリアクリレートなどの重合体と、エチレングリコール、グリセロールなどのアルコールと、レシチン、コレステリンなどの乳化剤、又はソルビタン脂肪酸エステルの誘導体と、シリコーンと、（英国でＪｏｈｎｓｏｎ  ＆  Ｊｏｈｎｓｏｎから市販の）ＫＹ−ゼリー（ＫＹ−Ｊｅｌｌｙ）などのセルロース重合体などがある。前述のうちの任意のものの混合物もカバーされているものとする。
【００３８】
脆性部材は、引き裂き、破断、破裂又は割れ目用の少なくとも１つの線、又は別の切り取り用の点線、又は脆い、壊れやすい又は弱い別の少なくとも１つの線あるいは領域を備えていることもある。このようにして、このような部材は、応力下で崩壊する及び／又は引き裂かれる、破断される、破裂する、パチンと割れて崩れ落ちる又は引き裂かれて崩れ落ちる又は破壊されて崩れ落ちることが可能である。
【００３９】
１つのさらなる実施形態では、第１のチャンバ及び／又は第２のチャンバの１つ以上の部分が、包装システムの残りの部分に対して可動である。
【００４０】
使用中、第１のチャンバ内に収容されているタンポンは、第２のチャンバ内に押し込まれ、これにより、脆性部材は壊れる。基剤（ｓｕｂｓｔｒａｔｅ）は、タンポンの鼻部及び肩部をほぼ全面的に被覆する。次いで、２つのチャンバは開かれ、これにより、ほぼ全面的に被覆されたタンポンの取り出しが容易となる。
【００４１】
開く方法は、とりわけ、チャンバのために採用された形成方法に依存して様々であることもある。しかしながら、前述のように、１つの好ましい実施形態では、チャンバは、チャンバの２つの壁の端縁をクリンプ加工して、これにより、一方の壁は、単に、他方の壁から剥離されるようにすることにより形成される。チャンバ、特に第１のチャンバは、壁を剥離するのを容易にする手段を備えていることもある。このような容易化手段は、チャンバの１つの隅またはチャンバの一端に配置されている持上げ可能タブを備えていることもある。代替的に、チャンバの周辺の少なくとも一部は、穿孔又は切削例えば刻み目を形成され、これにより、チャンバの端部を引き裂くことが可能となる。好ましくは、容易化手段は、生理用品を基剤と接触させるために、又はその逆を行うために、脆性部材に対して遠位に位置するチャンバ端部に隣接する位置に設けられている。
【００４２】
「可動」との表現は、例えば、アプリケータ及び／又は包装システムの残りの部分に対して「圧縮可能」及び「圧搾可能」であることを含む。
【００４３】
本発明の別の１つの実施形態では、本システムは、タンポンアプリケータを備えていることもある。このようにして、本発明の１つのさらなる特徴では、生理用品アプリケータを収容する第１のチャンバと、基剤貯蔵器として機能することが可能である第２のチャンバとを備えている生理用品包装システムであって、前記第１及び第２のチャンバが脆性部材により分離されている包装システムが提供される。収容手段内をスライド可能な例えばピストン又はプランジャなど、アプリケータからタンポンを駆動して出す手段が設けられていることもある。
【００４４】
このようにして、本発明の１つの好ましい実施形態では、本システムは、円筒形ハウジングを備え、これにより、膜は円筒形体に対して半径方向に位置する。好ましくは、基剤貯蔵器は円筒形体の一端に近く位置する。
【００４５】
本発明のアプリケータでは、第２の貯蔵器チャンバは、開放可能な端部壁を備えていることもある。代替的に、第２の貯蔵器チャンバは、単に、除去可能カバーを有する開壁を備えていることもある。カバーは、板紙又はプラスチック製カバーであることもあり、又は例えばセロファンなどのプラスチックフィルムであることもある。好ましくは、操作可能端部壁は、膜に対して遠位に位置する壁である。
【００４６】
このようにして、タンポン製品全体が液体潤滑剤を通過するようにすることにより、タンポンの吸収表面の全体又は大部分にわたりタンポンは、アプリケータから取出されると液体潤滑剤が塗布されて、適用可能な状態となるようにする。
【００４７】
第１及び第２のチャンバが、同一の直径の２つの同軸の中空円筒形チャンバ、容器又はその他の受容体の形をとるが、前述のように、軸方向長が等しくなく、脆性の又は崩壊可能な干渉壁又はバリヤを有するのが望ましい。
【００４８】
このようにして、吸収性生理用品（弾丸形月経用タンポン）は、より大きいチャンバ、容器又はその他の受容体内に収容され、これらはハウジングであり、ハウジングの鼻部は、脆性壁又はバリヤへ向いており及び／又は脆性壁若しくはバリヤに当接しており、液体潤滑剤は、より小さいチャンバ、容器又はその他の受容体内に保持され、このようにして、これらは貯蔵器である。
【００４９】
代替的に、第１及び第２のチャンバは、異なる直径を有し、これにより、一方のチャンバは他方のチャンバ内でスライド可能であるようになっている。
【００５０】
貯蔵器の内径が、膜に対して遠位に位置する端部へ向かって減少するようにすることも可能である。例えば、貯蔵器は先細りする及び／又はドーム状に形成されている又は内径が少なくとも１つのステップ変化することもある。
【００５１】
１つの形態では、潤滑剤貯蔵器の側壁は、閉鎖膜をカバーするドームの形で閉鎖膜、フィルム又はシートを越えて延びている。付加的又は代替的に、膜は側壁と一体的に形成され、またドーム状にすることも可能である。
【００５２】
アプリケータタンポンでは、アプリケータタンポンが、脆性膜と貯蔵器内の液体潤滑剤とにより駆動されることは望ましくない。何故ならば、タンポンがアプリケータから追い出されるリスクが大きいからである。このようにして、１つの実施形態ではアプリケータタンポンは脆性膜を破壊するのに使用されるにもかかわらず、好ましくは、貯蔵器チャンバは圧搾され、これにより、例えば潤滑剤などの材料が脆性膜を破裂させ、これにより、潤滑剤は圧搾されて、アプリケータの鼻部に到達する。このようにして、タンポンがアプリケータを介して適用されるとき、アプリケータ自身に潤滑剤が適用されるのに加えて、タンポンの鼻部は、タンポンがアプリケータから出される際に潤滑剤により被覆される。
【００５３】
本発明の１つのさらなる特徴では、前述のようなタンポンアプリケータが提供され、前記アプリケータはタンポン及び基剤も収容している。
【００５４】
アプリケータ貯蔵器が、抗真菌薬などの医薬品を収容している場合、タンポン及び／又はアプリケータは、ある特定の疾患を治療するのに使用され、ペッサリーの代用として使用されることもある。
【００５５】
さらに、前述のような生理用品包装システムを使用して、医薬品、医薬部外品、化粧品、ホルモン又はプロバイオティックを送達することを含んで成る、膣疾患を治療する方法が提供される。
【００５６】
このような疾患の例には、細菌、微生物、菌類及び寄生虫による感染又は関連医学的疾患又は前述の任意の組合せなどがある。
【００５７】
本発明のさらに別の１つの特徴では、前述のように事前充填生理用品包装システムの製造でのセルロースベース潤滑剤及び／又はＫＹ−Ｊｅｌｌｙの使用が提供される。
【００５８】
本発明の１つのさらなる特徴では、包装システムは、折畳み式配置で包装を取外し可能に固定する締付け固定手段を備えている。この特徴は、本システムが生理用品である場合に特に好適であるが、締付け固定手段の使用は、生理用品での使用に限定されないものとする。
【００５９】
折畳みはＣ形又はＳ形折畳み又は任意の従来使用されている折畳みであることもある。しかしながら、好ましくは、折畳みはＣ形折畳みであり、特に、脆性部材の線に沿っての折畳みである。脆性部材が、チャンバのクリンプ加工された壁を備えている場合、自然の折畳みが生じる。
【００６０】
締付け固定手段は、例えば生理用品に関連して使用される任意の従来公知の締付け固定具でよい。このようにして、締付け固定手段は、チャンバのうちの１つ又は両方の外壁の表面に適用される接着剤領域を備えていることもある。好ましくは、締付け固定手段は、例えば米国特許第５４８４６３６号に記載の接着剤タブを備えている。前記明細書は、引用することにより本明細書の一部を成すものとする。
【００６１】
このようにして、接着剤タブの第１の端部の片側は、比較的強い接着剤により固定されている。接着剤タブの第１の端部は、第１又は第２のチャンバの一端に固定されている。好ましくは、タブの第１の端部は、２つのチャンバのうちの小さい方のチャンバ、通常は第２のチャンバ即ち基剤貯蔵器の端部に固定されている。接着剤タブが固定されているチャンバ端部は、通常、脆性部材に対して遠位に位置する端部である。
【００６２】
接着剤タブの第２の端部の片側は、比較的弱い接着剤又は少なくとも可剥性接着剤によりコーティングされている。代替的に、接着剤は、開くのを容易にするために接着剤「無効」領域を備えている。
【００６３】
このようなタブの使用は、包装システムが、特に生理用タンポンの場合、生理用タンポンをばらばらに担持することを可能にする折畳み形態で得られる利点を有する。さらに、いったん包装が使用されると、包装が折畳まれるか又は丸められ、接着剤タブが、廃棄を支援するために包装を一緒に締付け固定するのに使用される。代替的に、使用される包装自身が、使用された又は汚れた生理用品例えばタンポンのための受容体として使用されることもある。このようにして、使用済タンポンは、第１のチャンバに入れられ、包装システムが、前述のように廃棄のために折畳まれるか又は丸められる。
【発明を実施するための最良の形態】
【００６４】
本発明を、以下、添付図面を参照して例示的にのみ説明する。
【００６５】
図１において、包装システム１１は、長手円筒形体を備え、第１のチャンバ１２及び第２のチャンバ１３を備えている。チャンバ１２及び１３は、脆性部材１４により分離されている。第１のチャンバ１２は、例えばタンポンなどの製品１５を収容することが可能である。製品が、ドーム状端部１６及び平らな遠位端１７を備えているタンポンである場合、第２のチャンバ１３は、基剤１８例えば潤滑剤を収容している。
【００６６】
図２において、使用中、タンポン２５は、手又はプランジャを使用して、その平らな端部２６を介して押され、これにより、ドーム状端部２６は、脆性部材２４を破壊する。次いで、タンポン２５は、第２のチャンバ２３の貯蔵器に入り、基剤２８に接触する。
【００６７】
図３において、タンポン３５は、タンポン３５が脆性部材３４を通過するようにすることにより第２のチャンバ３３から取り出され、その際、タンポン３５は基剤３８によりコートされる。
【００６８】
図４〜図６は、図１〜図３のプロセスの長手断面図である。
【００６９】
図７において、脆性部材（図示せず）に対して遠位に位置する、第１のチャンバ７２の端部７１１は、クリンプ加工されていない解放可能な領域７１０を備え、領域７１０は、第１のチャンバ７２の壁７１１と７１２とを剥離して互いから離すのを容易する。
【００７０】
図８において、第１の壁８９の端部８１１は、第２の壁８９の端部８１２から剥離される。
【００７１】
図７において、脆性部材７４に対して遠位に位置する、第１のチャンバ７２の端部７９は、クリンプ加工されていな部分１０を備え、部分１０は、第１のチャンバ７２の壁７１１と７１２とを剥離して互いから離すのを容易にし、これは、第２のチャンバ７３にも行うことが可能である。
【００７２】
図９〜図１１において、本発明の包装システム９１は、アプリケータタンポン９３を収容するのに使用される。ここで、第２のチャンバ９３は、圧搾され、これにより脆性部材９４は破裂し、潤滑剤９８がアプリケータタンポン９３を被覆する。
【００７３】
図１２において、包装システム１２１は、第１のチャンバ１２２と第２のチャンバ１２３との間のクリンプ線１２４で折畳まれている。クリンプ線１２４に対して遠位に位置する、第２のチャンバ１２３の端部１２５は、タブ１２６を備えている。タブ１２６の第１の端部１２７は、比較的強い接着剤により被覆され、第２のチャンバ１２３の端部１２５に取り付けられている。タブ１２６の第２の端部１２８は、比較的弱い可剥性接着剤により被覆されている。第２の端部１２８は、第１のチャンバ１２２の外壁に取り付けられている。使用中、タブ１２６の第２の端部は剥離され、これにより、包装システムを使用することができるようになる。使用後、包装システムは、タブ１２６の第２の端部１２８を再び接着することにより丸められて保持される。代替的に、使用済システムは、汚れた製品をばらばらに廃棄するのに使用されることもある。
【００７４】
図１３〜図１５において、本発明の包装システム１は、例えばヨーグルト１３１３及びフルーツソースを収容するのに使用される。
【００７５】
このようにして、使用中、第１のチャンバ１４１又は第２のチャンバ（１４３）が圧搾され、これにより、脆性部材１４４が破裂する。ヨーグルト１５１３及びフルーツソース１５３が、１５５として示されている点の周りで混合される。
【図面の簡単な説明】
【００７６】
【図１】指状タンポン及び潤滑剤を収容する本発明のシステムの平面断面図である。
【図２】タンポンが脆性部材を破壊した状態の本発明のシステムの平面断面図である。
【図３】タンポンが潤滑剤チャンバから引き出されて戻された状態の本発明のシステムである。
【図４】指状タンポンを収容する本発明のシステムの側面断面図である。
【図５】タンポンが脆性部材を破壊した状態の本発明のシステムの側面断面図である。
【図６】タンポンが潤滑剤チャンバから取出され、潤滑剤により被覆された状態の本発明のシステムの側面断面図である。
【図７】チャンバ壁のうちの１つが剥離されて、タンポンが露出された状態の本発明のシステムの側面断面図である。
【図８】持上げ可能タブのクローンアップされた断面図である。
【図９】アプリケータタンポンシステムの平面断面図である。
【図１０】脆性部材が破裂された状態のアプリケータタンポンシステムの平面断面図である。
【図１１】アプリケータタンポンが潤滑剤により被覆された状態の平面断面図である。
【図１２】解放可能な折畳みシステムの断面図である。
【図１３】ヨーグルト及びフルーツ混合物を備えている本発明の平面断面図である。
【図１４】脆性部材が破裂された状態の小袋システムの平面断面図である。
【図１５】ヨーグルトとフルーツとが一緒に混合された状態の平面断面図である。
【国際公開パンフレット】
2004525823.tif 000003
2004525823.tif 000004
2004525823.tif 000005
2004525823.tif 000006
2004525823.tif 000007
2004525823.tif 000008
2004525823.tif 000009
2004525823.tif 000010
2004525823.tif 000011
2004525823.tif 000012
2004525823.tif 000013
2004525823.tif 000014
2004525823.tif 000015
2004525823.tif 000016
2004525823.tif 000017
2004525823.tif 000018
2004525823.tif 000019
2004525823.tif 000020
2004525823.tif 000021
2004525823.tif 000022
2004525823.tif 000023
2004525823.tif 000024
2004525823.tif 000025
2004525823.tif 000026
2004525823.tif 000027
2004525823.tif 000028
2004525823.tif 000029
2004525823.tif 000030
【国際調査報告】
2004525823.tif 000031
2004525823.tif 000032
2004525823.tif 000033
2004525823.tif 000034